(57)【要約】  通信処理中の無線通信端末が情報処理端末から引き抜かれた場合でも、当該通信処理を正常に終了させることが可能な無線通信端末を提供する。本発明に係る無線通信端末は、接続している外部装置から電力の供給を受けて駆動する無線通信端末であって、無線基地局と無線通信する無線通信部と、前記外部装置から電力の供給を受けずに自端末を駆動可能なバッテリと、前記外部装置から電力の供給を受けて前記無線通信部を用いた通信処理をしている際に、該外部装置との接続が切断されると、自端末を前記バッテリによる駆動に切り替えて前記通信処理を正常に終了するための継続処理を実行し、その後、前記バッテリによる自端末の駆動を停止するように制御する制御部と、を備える。
2010109880.tif 000002
【特許請求の範囲】
【請求項１】
接続している外部装置から電力の供給を受けて駆動する無線通信端末であって、
無線基地局と無線通信する無線通信部と、
前記外部装置から電力の供給を受けずに自端末を駆動可能なバッテリと、
前記外部装置から電力の供給を受けて前記無線通信部を用いた通信処理をしている際に、該外部装置との接続が切断されると、自端末を前記バッテリによる駆動に切り替えて前記通信処理を正常に終了するための継続処理を実行し、その後、前記バッテリによる自端末の駆動を停止するように制御する制御部と、
を備えることを特徴とする無線通信端末。
【請求項２】
ＰＲＬ（ローミング情報）を記憶する記憶部を備え、
前記制御部は、前記通信処理として前記記憶部の前記ＰＲＬを書き換えている間に、前記外部装置との接続が切断された場合に、前記継続処理として前記記憶部の前記ＰＲＬの書き換えを完了させることを特徴とする、請求項１に記載の無線通信端末。
【請求項３】
加入者情報を記憶する記憶部を備え、
前記制御部は、前記通信処理として前記記憶部に前記加入者情報を書き込んでいる間に、前記外部装置との接続が切断された場合に、前記継続処理として前記記憶部への前記加入者情報の書き込みを完了させることを特徴とする、請求項１に記載の無線通信端末。
【請求項４】
前記制御部は、前記通信処理として自端末のアップデート処理を行っている間に、前記外部装置との接続が切断された場合に、前記継続処理として自端末の前記アップデート処理を完了させることを特徴とする、請求項１に記載の無線通信端末。
【請求項５】
前記バッテリは、前記無線通信部が無線通信する際に、前記外部装置から電力の供給では不足する電力分を補助電力として供給することを特徴とする、請求項１乃至４のいずれかに記載の無線通信端末。
【発明の詳細な説明】
【関連出願へのクロスリファレンス】
【０００１】
本出願は、日本国特許出願２００９−７７５３７号（２００９年３月２６日出願）の優先権を主張するものであり、当該出願の開示全体を、ここに参照のために取り込む。
【技術分野】
【０００２】
本発明は、無線通信端末に関するものであり、特に、ノートパソコン等の情報処理端末（外部装置）に着脱可能に装着され、当該外部装置から電力の供給を受けて駆動する無線通信端末に関するものである。
【背景技術】
【０００３】
ノートパソコン等の情報処理端末で作業を行う場合、例えば、無線通信手段を備えた無線通信端末を用いることにより、移動体通信網等の外部通信網に接続して通信処理を行うことができる。かかる無線通信端末は、情報処理端末に設けられたＵＳＢ（Universal Serial Bus）端子やカードスロット等の挿入口に差し込んで使用するものであり、使用しない場合などには、挿入口から引き抜いて取り外すことが可能である。従来技術として、このような無線通信端末が通信処理を行っている間に、情報処理端末から誤って引き抜かれた場合でも、プログラムの暴走やシステムのリセット等を防ぐことができる方式が考えられている（特許文献１及び２参照）。
【先行技術文献】
【特許文献】
【０００４】
【特許文献１】特開平５−２８３２７号公報
【特許文献２】実開平６−４８５２号公報
【発明の概要】
【発明が解決しようとする課題】
【０００５】
ところで、例えば、無線通信端末に対して、ＯＴＡ（Ｏｖｅｒ Ｔｈｅ Ａｉｒ）によるＰＲＬ（ローミングエリア情報）の書き換えや電話番号等のＩＤ情報（加入者情報）の書き込みが行われている最中に、無線通信端末が情報処理端末から引き抜かれてしまうと、それまで書き換えられていた情報や書き込まれていた情報が無効になってしまう。このため、再度、無線通信端末を情報処理端末の挿入口に差し込んで、前述したような情報の書き換えや書き込みを行う場合には、改めて初めから情報の書き換え等が行われることになるので、時間が無駄になってしまうという問題がある。また、このような場合には、無線通信端末が不安定になるので、無線通信端末が正常に作動しなくなる等の不具合が発生してしまうことがある。さらには、通信相手である基地局側の負荷も増すので、通信状態が悪くなる等の問題が生じてしまう。【０００６】
また、無線通信端末は、通信の際には基地局との間のセッション情報を保持する。しかし、このようなセッション情報を無線通信端末が保持する前に、無線通信端末を情報処理端末から引き抜いてしまうと、次回の通信接続のときには、無線通信端末は改めてセッション情報の保持を開始しなければならないので、接続に時間がかかるといった不具合も伴っている。【０００７】
そこで、本出願人は、無線通信端末が情報処理端末から突然引き抜かれることがないように、引き抜き時にユーザに警告したり、引き抜く準備が完了したことをユーザに報知することにより、無線通信端末を情報処理端末から安全に引き抜くことができる方式を考案している（特開２００６−１８４９７７、特開２００６−２０９２５０、特開２００７−１７２６６５、特開２００７−１８３９９７）。【０００８】
しかしながら、本出願人による方法であっても、ユーザが無線通信端末引き抜き時の警告に従わず、通信処理中の無線通信端末を引き抜いてしまった場合には、依然として上述の問題が発生してしまうという問題がある。また、構造的な引き抜きにかかわらず、電力供給が途切れることが本発明の本質的な課題である。【０００９】
したがって、かかる点に鑑みてなされた本発明の目的は、通信処理中の無線通信端末が情報処理端末から例えば引き抜かれて電力供給が途切れた場合でも、当該通信処理を正常に終了させることが可能な無線通信端末を提供することにある。
【課題を解決するための手段】
【００１０】
上述した諸課題を解決すべく、第１の発明による無線通信装置は、
接続している外部装置から電力の供給を受けて駆動する無線通信端末であって、
無線基地局と無線通信する無線通信部と、
前記外部装置から電力の供給を受けずに自端末を駆動可能なバッテリと、
前記外部装置から電力の供給を受けて前記無線通信部を用いた通信処理をしている際に、該外部装置との接続が切断されると、自端末を前記バッテリによる駆動に切り替えて前記通信処理を正常に終了するための継続処理を実行し、その後、前記バッテリによる自端末の駆動を停止するように制御する制御部と、
を備えることを特徴とする。【００１１】
また、第２の発明による無線通信装置は、
ＰＲＬ（ローミング情報）を記憶する記憶部を備え、
前記制御部は、前記通信処理として前記記憶部の前記ＰＲＬを書き換えている間に、前記外部装置との接続が切断された場合に、前記継続処理として前記記憶部の前記ＰＲＬの書き換えを完了させることを特徴とする。【００１２】
また、第３の発明による無線通信装置は、
加入者情報を記憶する記憶部を備え、
前記制御部は、前記通信処理として前記記憶部に前記加入者情報を書き込んでいる間に、前記外部装置との接続が切断された場合に、前記継続処理として前記記憶部への前記加入者情報の書き込みを完了させることを特徴とする。【００１３】
また、第４の発明による無線通信装置は、
前記制御部は、前記通信処理として自端末のアップデート処理を行っている間に、前記外部装置との接続が切断された場合に、前記継続処理として自端末の前記アップデート処理を完了させることを特徴とする。【００１４】
また、第５の発明による無線通信装置は、
前記バッテリは、前記無線通信部が無線通信する際に、前記外部装置から電力の供給では不足する電力分を補助電力として供給することを特徴とする。
【発明の効果】
【００１５】
本発明によれば、無線通信端末はバッテリを備え、通信処理中に情報処理端末から例えば引き抜かれた場合には、情報処理端末との接続の切断を検出して、バッテリ駆動によって当該通信処理を正常に終了させるための継続処理を行う。このため、通信処理中の無線通信端末が情報処理端末から例えば引き抜かれた場合でも、当該通信処理を正常に終了させることが可能となる。
【図面の簡単な説明】
【００１６】
【図１】本発明の一実施形態に係る無線通信端末の概略構成を示す図である。
【図２】図１に示す無線通信端末のフローチャートである。
【図３】図１に示す無線通信端末の継続処理のフローチャートである。
【図４】図１に示す無線通信端末の継続処理のフローチャートである。
【図５】図１に示す無線通信端末の継続処理のフローチャートである。
【図６】図１に示す無線通信端末の中断処理のフローチャートである。
【図７】図１に示す無線通信端末の終了処理のフローチャートである。
【発明を実施するための形態】
【００１７】
以降、諸図面を参照しながら、本発明の実施態様を詳細に説明する。
【００１８】
図１は、本発明の一実施形態に係る無線通信端末の概略構成を示す図である。無線通信端末１は、無線通信部１１と、制御部１２と、切断検出部１３と、外部通信部１４と、電源制御部１５と、バッテリ１６と、を含んで構成される。無線通信端末１は、データ線ＬＤ及び給電線ＬＰによって情報処理端末２（外部装置）に接続される。なお、無線通信端末１において、データ線ＬＤは外部通信部１４に接続され、給電線ＬＰは電源制御部１５を介してバッテリ１６に接続される。
【００１９】
なお、無線通信端末１は、情報処理端末２と接続することで給電線ＬＰによる給電のみで駆動する構成を基本とするが、情報処理端末２と接続していない状態でも、一時的に内蔵するバッテリ１６によって自端末を駆動することができる。
【００２０】
無線通信部１１は、無線通信網の基地局（図示せず）と無線通信を行う。制御部１２は、情報処理端末２から供給される電力により自端末（無線通信端末１）を駆動するか、バッテリ１６により自端末（無線通信端末１）を駆動するかを制御する。切断検出部１３は、自端末（無線通信端末１）と情報処理端末２との間の接続の切断を検出する。切断検出部１３は、例えば、給電線ＬＰの電圧を監視し、当該電圧の変動（落ち込みなど）により切断を検出することができる。また、切断検出部１３は、例えば、データ線ＬＤの電圧を監視し、当該電圧の変動（落ち込みなど）により切断を検出することができる。外部通信部１４は、データ線ＬＤを介して情報処理端末２とデータの交換を行う。電源制御部１５は、給電線ＬＰによって情報処理端末２から供給される電力を、バッテリ１６に供給する。バッテリ１６は、情報処理端末２から電力の供給を受けることなく、自端末（無線通信端末１）を駆動するための電力を蓄えるものである。バッテリ１６は、自端末（無線通信端末１）が情報処理端末２に接続されている間に、情報処理端末２から供給される電力を蓄積しておき、自端末（無線通信端末１）と情報処理端末２との接続が切断された後、当該蓄積された電力を自端末（無線通信端末１）の駆動に用いることができる。
【００２１】
ここで、無線通信部１１は、任意の無線通信システムに対応した、任意の好適なインタフェース機器から構成することができる。また、制御部１２、切断検出部１３、外部通信部１４、及び電源制御部１５は、ＣＰＵ（中央処理装置）等の任意の好適なプロセッサ上で実行されるソフトウェアとして構成したり、各処理に特化した専用のプロセッサ（例えばＤＳＰ（デジタルシグナルプロセッサ））によって構成することができる。
【００２２】
無線通信端末１が情報処理端末２と接続されると、切断検出部１３は、例えば給電線ＬＰの電圧を監視することにより当該接続を認識する。制御部１２は、当該接続の認識（つまり、給電が開始されたこと）を契機として、情報処理端末２から供給される電力により自端末（無線通信端末１）の駆動を開始する。無線通信部１１は、制御部１２による駆動開始を受け、無線通信網の基地局（図示せず）と無線リンクを確立して通信処理を行う。例えば、情報処理端末２がデータ通信を行う場合、外部通信部１４はデータ線ＬＤ介して情報処理端末２とデータの交換を行い、無線通信部１１は、基地局（図示せず）との間で当該データの送受信を行う。
【００２３】
なお、ここでいう通信処理の例には、ＯＴＡによる、ＰＲＬの書き換えや、電話番号等のＩＤ情報（加入書情報）の書き込み、さらには、モデム部のファームウェアや機能のアップデート等が挙げられる。また、この通信処理の例には、待受動作やハンドオーバー（ハンドオフ）、基地局との間で交換されるセッション情報の保持も含まれる。
【００２４】
通常、無線通信端末１が情報処理端末２と接続している状態から、当該接続を切断する場合、情報処理端末２から当該切断を示す制御情報が、データ線ＬＤを経由して無線通信端末１に送信される。無線通信端末１では、制御部１２が情報処理端末２からの制御情報に応じて、実行中の通信処理を正常に終了させるための処理を行う。その後、通信処理が正常に終了し、無線通信端末１と情報処理端末２との接続を切断しても問題がない状態になると、無線通信端末１はその旨を示す制御情報を情報処理端末２に送信する。情報処理端末２は、無線通信端末１からの制御情報に応じて、無線通信端末１を引き抜いて取り外すことが可能である旨をユーザに報知し、ユーザは、当該報知を受けて無線通信端末１を情報処理端末２から引き抜いて取り外す。
【００２５】
ここで、無線通信端末１は、上記の通り、情報処理端末２と接続された後に、情報処理端末２から供給される電力により自端末（無線通信端末１）の駆動を開始（電源ＯＮ）するものである。そのため、例えば携帯電話などのように、情報処理端末２と接続する前に予め駆動されており無線通信可能なハンドセット型端末とは、その構成が異なる点に留意されたい。
【００２６】
また、無線通信端末１は、情報処理端末２との接続が切断された後、通信処理が正常に終了している場合には、自端末（無線通信端末１）の駆動を停止（電源ＯＦＦ）するものである。さらに、無線通信端末１は、接続している情報処理端末２自体の電源がＯＦＦになり、情報処理端末２との接続が切断された（無効になった）場合も、情報処理端末２と連動して自端末（無線通信端末１）の駆動を停止（電源ＯＦＦ）することができる。そのため、例えば携帯電話などのように、ユーザが電源ボタン等によって端末の電源をＯＦＦにするようなハンドセット型端末とは、その構成が異なる点に留意されたい。
【００２７】
ここで、上述したように、ユーザは、無線通信端末が通信処理中であっても、取り外し可能な旨の報知を待つことなく、無線通信端末１を情報処理端末２から引き抜いてしまうことがある。
【００２８】
図２は、無線通信端末１のフローチャートであり、無線通信端末１が、通信処理中に情報処理端末２から引き抜かれた場合に、当該通信処理を正常に終了させるための継続処理及び中断処理を行う動作を示すものである。
【００２９】
まず、ユーザが無線通信端末１を情報処理端末２に接続すると、制御部１２は、情報処理端末２から供給される電力により自端末（無線通信端末１）の駆動を開始する（電源ＯＮ）（ステップＳ１０１）。無線通信部１１は、基地局との間で無線リンクを確立するなどの初期化処理を行い（ステップＳ１０２）、基地局との通信処理を開始する（ステップＳ１０３）。通信処理が行われている間、切断検出部１３は、データ線ＬＤ又は給電線ＬＰの電圧などから、自端末（無線通信端末１）と情報処理端末２との間の接続の切断検出を行う（ステップＳ１０４）。
【００３０】
切断検出部１３が自端末（無線通信端末１）と情報処理端末２との間の接続の切断を検出すると（ステップＳ１０４のＹｅｓ）、制御部１２は、自端末（無線通信端末１）の駆動をバッテリ１６による駆動に切り替える（ステップＳ１０５）。次いで、制御部１２は、実行中の通信処理の内容から、実行中の通信処理を正常に終了させるための継続処理が必要かどうかを判定する（ステップＳ１０６）。なお、ここでいう通信処理を正常に終了させるための継続処理とは、通信処理を適切に終了させるためのあらゆる処理を含むものである。例えば、再接続後の通信負荷を減らすために区切りの良い箇所まで通信処理を実行することや、接続の切断により無線通信端末１の動作が不安定になることを防止する処理などが挙げられる。
【００３１】
制御部１２が継続処理は必要であると判定すると（ステップＳ１０６のＹｅｓ）、制御部１２は、電源制御部１５を介してバッテリ１６の電力残量を参照し、当該電力残量が継続処理を行うために十分であるかを判定する（ステップＳ１０７）。当該電力残量の判定には、例えば、所定の継続処理と当該継続処理に対する必要電力との対応表を予め用意しておくこともできる。
【００３２】
制御部１２が、バッテリ１６の電力残量は十分であると判定すると（ステップＳ１０７のＹｅｓ）、制御部１２は、実行中の通信処理を正常に終了させるための継続処理を実行する（ステップＳ１０８）。
【００３３】
制御部１２が、バッテリ１６の電力残量は十分ではないと判定すると（ステップＳ１０７のＮｏ）、制御部１２は、実行中の通信処理を中断するための中断処理を実行する（ステップＳ１０９）。なお、ここでいう通信処理を中断するため中断処理とは、通信処理を適切に終了させるために、限られた電力で行い得るあらゆる処理を含むものである。例えば、限られた電力量によって、再接続後の通信負荷を減らすために区切りの良い箇所まで通信処理を実行することや、接続の切断により無線通信端末１の動作が不安定になることを防止する処理などが挙げられる。
【００３４】
ステップＳ１０９において継続処理が終了するか、ステップＳ１１０において中断処理が行われるか、ステップＳ１０７において継続処理が必要ではない場合、制御部１２は自端末（無線通信端末１）の各処理部（例えば、無線通信部１１、切断検出部１３、外部通信部１４、電源制御部１５）の終了処理を行う（ステップＳ１１１）。
【００３５】
図３は、終了処理のフローチャートである。制御部１２は、各処理部に対して電源ＯＦＦ状態に遷移させるための終了処理プログラムの実行を指示する（ステップＳ２０１）。制御部１２は、全ての処理部の終了処理プログラムの実行が完了した事を認識すると（ステップＳ２０２）、各処理部のハードウェアを停止させる（ステップＳ２０３）。なお、各処理部が実行する終了処理プログラム自体によって、各処理部をハードウェア的に停止させることも可能である。
【００３６】
制御部１２は、各処理部の終了処理が完了すると、バッテリ１６による自端末（無線通信端末１）の駆動を停止する（電源ＯＦＦ）（Ｓ１１２）。
【００３７】
このように、本実施形態によれば、無線通信端末１はバッテリ１６を備え、通信処理中に情報処理端末２から引き抜かれた場合には、情報処理端末２との接続の切断を検出して、バッテリ１６による駆動によって当該通信処理を正常に終了させるための継続処理（中断処理）を行う。そのため、通信処理中の無線通信端末１が情報処理端末２から引き抜かれた場合でも、当該通信処理を正常に終了させることが可能となる。また、無線通信端末１は、継続処理（中断処理）終了後に自端末の動作を停止（電源ＯＦＦ）させるため、その時点でバッテリ１６の消費電力はゼロになり、不要な電力消費を回避することができる。
【００３８】
図４は、通信処理がＯＴＡによるＰＲＬ（ローミングエリア情報）の書き換えの場合の、継続処理のフローチャートである。この場合、無線通信端末１は、図１に示す構成に加えて、ＰＲＬを記憶する記憶部（図示せず）を備える。通信処理がＯＴＡによるＰＲＬの書き換えの場合、制御部１２は、ステップＳ１０６において、記憶部のＰＲＬを書き換えている間に情報処理装置２との接続が切断された場合に、継続処理が必要であると判定する。そして、ステップＳ１０８において、図４に示すように、制御部１２は、継続処理として記憶部のＰＲＬ書き換え処理を完了させる（ステップＳ３０１）。
【００３９】
このように、本実施形態によれば、無線通信端末１は継続処理として記憶部のＰＲＬ書き換え処理を完了させる。このため、ＰＲＬの書き換え中に無線通信端末１が情報処理端末２から引き抜かれた場合でも、通信処理は正常に終了し、それまでに書き換えられていた情報が無駄になることはない。このため、再度、無線通信端末１を情報処理端末２の挿入口に差し込んで再接続した際に、改めて初めから情報の書き換えを行う必要がなく、無線通信等の処理を迅速に開始することが可能となる。
【００４０】
図５は、通信処理がＯＴＡによる電話番号等のＩＤ情報（加入者情報）の書き込みの場合の、継続処理のフローチャートである。この場合、無線通信端末１は、図１に示す構成に加えて、加入者情報を記憶する記憶部（図示せず）を備える。通信処理がＯＴＡによる加入者情報の書き込みの場合、制御部１２は、ステップＳ１０６において、記憶部に加入者情報を書き込んでいる間に情報処理装置２との接続が切断された場合に、継続処理が必要であると判定する。そして、ステップＳ１０８において、図５に示すように、制御部１２は、記憶部への加入者情報の書き込み処理を完了させ（ステップＳ４０１）、無線通信部１１を通じて、加入者情報を管理する管理サーバ（図示せず）に対して、加入者情報の書き込みが完了した旨を示す終了通知を送信する（ステップＳ４０２）。
【００４１】
このように、本実施形態によれば、無線通信端末１は継続処理として記憶部への加入者情報の書き込みを完了させる。このため、加入者情報の書き込み中に無線通信端末１が情報処理端末２から引き抜かれた場合でも、通信処理は正常に終了し、それまでに書き込まれていた情報が無駄になることはない。このため、再度、無線通信端末１を情報処理端末２の挿入口に差し込んで再接続した際に、改めて初めから情報の書き込みを行う必要がなく、無線通信等の処理を迅速に開始することが可能となる。また、管理サーバに対して書き込みの終了通知を送信するため、管理サーバによる情報の不要な再送等を防ぐことが可能となる。
【００４２】
図６は、通信処理がＯＴＡによる自端末のアップデートの場合の、継続処理のフローチャートである。なお、ここでいうアップデートとは、モデムのファームウェアや各処理部の機能のアップデート等を含むものである。この場合、制御部１２は、ステップＳ１０６において、自端末のアップデート処理を行っている間に、情報処理装置２との接続が切断された場合に、継続処理が必要であると判定する。そして、ステップＳ１０８において、図６に示すように、制御部１２は、自端末のアップデート処理を完了させ（ステップＳ５０１）、無線通信部１１を通じて、アップデート情報を管理する管理サーバ（図示せず）に対して、アップデート処理が完了した旨を示す終了通知を送信する（ステップＳ５０２）。
【００４３】
このように、本実施形態によれば、無線通信端末１は継続処理としてアップデート処理を完了させる。このため、アップデート処理中に無線通信端末１が情報処理端末２から引き抜かれた場合でも、通信処理は正常に終了し、それまでの処理内容が無駄になることはない。このため、再度、無線通信端末１を情報処理端末２の挿入口に差し込んで再接続した際に、改めて初めからアップデート処理を行う必要がなく、無線通信等の処理を迅速に開始することが可能となる。また、アップデート処理の中断により端末が動作しなくなる（壊れる）ということも防止できる。また、管理サーバに対してアップデート処理の終了通知を送信するため、管理サーバによる情報の不要な再送等を防ぐことが可能となる。
【００４４】
図７は、中断処理のフローチャート図である。中断処理とは、バッテリ１６に蓄積されている電力が継続処理を行うために十分ではない場合の処理であるため、ある通信処理全体を完了させるものではない。しかし、通信処理中の無線通信端末１が情報処理端末２から引き抜かれた場合でも、限られた電力によって、当該通信処理のある部分までを行うことにより、通信処理を正常に終了させることが可能である。例えば、通信処理がＯＴＡによる自端末のファームウェアアップデートの場合、制御部１２は、アップデート処理の区切りとなるように、ファームウェアの中断ブロックまでの書き込み処理を行ってから（ステップＳ６０１）、無線通信部１１を通じて、アップデート情報を管理する管理サーバ（図示せず）に対して、アップデート処理が途中で終了した旨を示す途中終了通知を送信する（ステップＳ６０２）。
【００４５】
このように、本実施形態によれば、無線通信端末１は中断処理としてアップデート処理の一部を完了させる。このため、アップデート処理中に無線通信端末１が情報処理端末２から引き抜かれ、バッテリ１６の電力が十分ではない場合でも、通信処理は正常に終了し、それまでの処理内容が無駄になることはない。このため、再度、無線通信端末１を情報処理端末２の挿入口に差し込んで再接続した際に、改めて初めからアップデート処理を行う必要がなく、無線通信等の処理を迅速に開始することが可能となる。また、アップデート処理の中断により端末が動作しなくなる（壊れる）ということも防止できる。また、管理サーバに対してアップデート処理の途中終了通知を送信するため、管理サーバは、再接続後、アップデートデータのうち再送すべき部分のみを無線通信端末１に送信することが可能となる。
【００４６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。
【００４７】
本発明に係る無線通信端末１は、情報処理端末２に接続された後、給電線ＬＰからの給電のみで駆動する構成を基本とする。しかし、所定の条件、例えば、情報処理端末２が基地局（図示せず）から離れているため、無線リンクを接続するために無線通信部１１の送信出力を大きくする必要がある時などは、一時的な電力の補助を行う為に、バッテリ１６から電力の供給を受けて駆動することができる。かかる構成により、例えば、遠方の基地局に対して無線通信品質が悪化し、制御部１２が通信処理を正常に終了させることが困難な状況になっても、一時的にバッテリ１６から電力の供給を受け、無線通信部１１の送信出力を大きくすることによって、通信処理を正常に終了させることが可能となる。この他にも、複数の無線通信部を備えた構成で、同時に複数の無線通信部を動作させる場合の電力補助として、バッテリ１６からの電力供給を受けて駆動することができる。
【００４８】
また、本発明に係る無線通信端末１が実行する継続処理は、図４〜図６に示すＯＴＡによるＰＲＬの書き換えや、加入書情報の書き込み、アップデート処理に限定されるものではない。例えば、通信処理として待受動作やハンドオーバー時の制御情報を交換している場合には、制御部１２は、継続処理として、当該待受動作やハンドオーバー時の制御情報の保存を完了させることができる。また、例えば、通信処理として基地局とセッション情報を交換している場合には、制御部１２は、継続処理として当該セッション情報の保存を完了させることができる。
【符号の説明】
【００４９】
１  無線通信端末
２  情報処理端末（外部装置）
１１  無線通信部
１２  制御部
１３  切断検出部
１４  外部通信部
１５  電源制御部
１６  バッテリ
ＬＰ  給電線
ＬＤ  データ線
【図１】
2010109880.tif 000003
【図２】
2010109880.tif 000004
【図３】
2010109880.tif 000005
【図４】
2010109880.tif 000006
【図５】
2010109880.tif 000007
【図６】
2010109880.tif 000008
【図７】
2010109880.tif 000009
【国際調査報告】
2010109880.tif 000010
2010109880.tif 000011
2010109880.tif 000012
2010109880.tif 000013